(57)【要約】【課題】ユーザのアクセス履歴の管理を簡易且つ適切に行うこと。【解決手段】アクセス履歴サーバ１０は、端末３０が事業者サイト４０にアクセスするたびに、端末３０からアクセスした事業者サイト４０のＵＲＬを取得し、該事業者サイト４０のＵＲＬをアクセス履歴記憶部に格納し、アクセス履歴記憶部によって記憶された事業者サイト４０の情報に基づいて、端末３０を利用するユーザの属性情報を特定する。そして、アクセス履歴サーバ１０は、広告コンテンツ配信サーバ５０から属性情報の要求を受け付けた場合に、特定されたユーザの属性情報を広告コンテンツ配信サーバ５０に送信する。また、広告コンテンツ配信サーバ５０は、端末３０がポータルサイト６０にアクセスした場合に、アクセス履歴サーバ１０によって送信されたユーザの属性情報を用いて、端末３０に配信する広告を決定し、該広告を端末３０に配信する。【選択図】図１
2015156157.tif 000002
【特許請求の範囲】
【請求項１】
ユーザ端末のアクセス履歴を管理するアクセス履歴サーバと、ウェブサイトにアクセスしたユーザ端末に対して広告またはコンテンツを配信する広告コンテンツ配信サーバとを有する広告コンテンツ配信システムであって、
前記アクセス履歴サーバは、
前記ユーザ端末のユーザが契約した通信事業者が提供するアクセス網内に設置され、
前記ユーザ端末がアクセスしたサイトであって、前記広告コンテンツ配信サーバに広告またはコンテンツの配信を依頼している事業者のサイトである事業者サイトの情報を記憶する記憶部と、
前記ユーザ端末が前記事業者サイトにアクセスするたびに、該ユーザ端末からアクセスした事業者サイトの情報を取得し、該事業者サイトの情報を前記記憶部に格納する取得部と、
前記記憶部によって記憶された事業者サイトの情報に基づいて、前記ユーザ端末を利用するユーザの属性情報を特定する特定部と、
前記広告コンテンツ配信サーバから属性情報の要求を受け付けた場合に、前記特定部によって特定されたユーザの属性情報を前記広告コンテンツ配信サーバに送信する送信部と、
を備え、
前記広告コンテンツ配信サーバは、
前記ユーザ端末がウェブサイトにアクセスした場合に、前記アクセス履歴サーバによって送信された前記ユーザの属性情報を用いて、前記ユーザ端末に配信する広告またはコンテンツを決定する決定部と、
前記決定部によって決定された広告またはコンテンツを前記ユーザ端末に配信する配信部と
を備えることを特徴とする広告コンテンツ配信システム。
【請求項２】
前記広告コンテンツ配信システムは、前記ユーザ端末が利用するアクセス網に対応する回線を識別する回線識別情報を管理する回線管理サーバをさらに有し、
前記回線管理サーバは、
前記ユーザ端末ごとに、該ユーザ端末が利用するアクセス網に対応する回線識別情報を記憶する回線記憶部を有し、
前記記憶部は、前記回線識別情報ごとに前記ユーザ端末がアクセスした事業者サイトの情報を記憶するとともに、前記回線識別情報ごとに前記属性情報を記憶し、
前記取得部は、前記ユーザ端末からアクセスした事業者サイトの情報を取得するとともに、該ユーザ端末が利用するアクセス網に対応する回線識別情報を前記回線管理サーバから取得し、前記回線識別情報に対応付けて前記事業者サイトの情報を前記記憶部に格納し、
前記特定部は、前記記憶部によって記憶された事業者サイトの情報に基づいて、前記ユーザ端末を利用するユーザの属性情報を特定し、該属性情報を前記回線識別情報に対応付けて前記記憶部に格納し、
前記送信部は、前記広告コンテンツ配信サーバから前記回線識別子を含む属性情報の要求を受け付けた場合に、該回線識別子に対応する前記属性情報を前記記憶部から読み出し、該属性情報を前記広告コンテンツ配信サーバに送信することを特徴とする請求項１に記載の広告コンテンツ配信システム。
【請求項３】
前記アクセス履歴サーバは、
前記ウェブサイトにログインするためのログイン情報に対応する使用期間が限定された情報であるワンタイムログイン情報を発行し、発行したワンタイムログイン情報を前記広告コンテンツ配信サーバに送信する発行部をさらに備え、
前記記憶部は、前記回線識別子と前記ログイン情報とを対応付けて記憶するとともに、前記ログイン情報と前記ワンタイムログイン情報とを対応付けてさらに記憶し、
前記取得部は、前記ユーザ端末からアクセスした事業者サイトの情報およびログイン情報を取得するとともに、該ユーザ端末が利用するアクセス網に対応する回線識別情報を前記回線管理サーバから取得し、前記回線識別情報に対応付けて前記ログイン情報を前記記憶部に格納し、
前記送信部は、前記広告コンテンツ配信サーバから前記ワンタイムログイン情報を含む属性情報の要求を受け付けた場合に、前記記憶部において、該ワンタイムログイン情報に対応する属性情報を、前記広告コンテンツ配信サーバに送信することを特徴とする請求項２に記載の広告コンテンツ配信システム。
【請求項４】
前記アクセス履歴サーバは、
前記ウェブサイトにログインするためのログイン情報に対応する使用期間が限定された情報であるワンタイムログイン情報を発行し、発行したワンタイムログイン情報を前記広告コンテンツ配信サーバに送信する発行部をさらに備え、
前記記憶部は、前記事業者サイトの情報と前記ログイン情報とを対応付けて記憶するとともに、前記ログイン情報と前記ワンタイムログイン情報とを対応付けてさらに記憶し、前記ワンタイムログイン情報ごとに前記属性情報を記憶し、
前記取得部は、前記ユーザ端末からアクセスした事業者サイトの情報およびログイン情報を取得し、前記ログイン情報に対応付けて前記事業者サイトの情報を前記記憶部に格納し、
前記送信部は、前記広告コンテンツ配信サーバから前記ワンタイムログイン情報を含む属性情報の要求を受け付けた場合に、前記記憶部において、該ワンタイムログイン情報に対応する属性情報を、前記広告コンテンツ配信サーバに送信することを特徴とする請求項１に記載の広告コンテンツ配信システム。
【請求項５】
前記広告コンテンツ配信システムは、前記ユーザごとに、前記事業者サイトにアクセスした際に行われる認証処理を行うための認証情報を前記ユーザ端末に付与する連携サーバをさらに有し、
前記アクセス履歴サーバは、
前記認証情報に対応する使用期間が限定された情報であるワンタイム認証情報を発行し、発行したワンタイム認証情報を前記広告コンテンツ配信サーバに送信する発行部をさらに備え、
前記記憶部は、前記事業者サイトの情報と前記認証情報とを対応付けて記憶するとともに、前記認証情報と前記ワンタイム認証情報とを対応付けて記憶し、前記ワンタイム認証情報ごとに前記属性情報を記憶し、
前記取得部は、前記ユーザ端末からアクセスした事業者サイトの情報および認証情報を取得し、前記認証情報に対応付けて前記事業者サイトの情報を前記記憶部に格納し、
前記送信部は、前記広告コンテンツ配信サーバから前記ワンタイム認証情報を含む属性情報の要求を受け付けた場合に、前記記憶部において、該ワンタイム認証情報に対応する属性情報を、前記広告コンテンツ配信サーバに送信することを特徴とする請求項１に記載の広告コンテンツ配信システム。
【請求項６】
前記アクセス履歴サーバは、
前記記憶部に記憶された情報の参照要求、前記記憶部に記憶された情報の修正要求、または、前記記憶部に記憶された情報を参照可能な事業者の選択指示を受け付けるインタフェース部をさらに備えることを特徴とする請求項１〜５のいずれか一つに記載の広告コンテンツ配信システム。
【請求項７】
ユーザ端末のアクセス履歴を管理するアクセス履歴サーバと、ウェブサイトにアクセスしたユーザ端末に対して広告またはコンテンツを配信する広告コンテンツ配信サーバとを有する広告コンテンツ配信システムで実行される広告コンテンツ配信方法であって、
前記アクセス履歴サーバは、前記ユーザ端末のユーザが契約した通信事業者が提供するアクセス網内に設置され、
前記アクセス履歴サーバは、前記ユーザ端末がアクセスしたサイトであって、前記広告コンテンツ配信サーバに広告またはコンテンツの配信を依頼している事業者のサイトである事業者サイトの情報を記憶する記憶部を備え、
前記アクセス履歴サーバが、前記ユーザ端末が前記事業者サイトにアクセスするたびに、該ユーザ端末からアクセスした事業者サイトの情報を取得し、該事業者サイトの情報を前記記憶部に格納する取得工程と、
前記アクセス履歴サーバが、前記記憶部によって記憶された事業者サイトの情報に基づいて、前記ユーザ端末を利用するユーザの属性情報を特定する特定工程と、
前記アクセス履歴サーバが、前記広告コンテンツ配信サーバから属性情報の要求を受け付けた場合に、前記特定工程によって特定されたユーザの属性情報を前記広告コンテンツ配信サーバに送信する送信工程と、
前記広告コンテンツ配信サーバが、前記ユーザ端末がウェブサイトにアクセスした場合に、前記アクセス履歴サーバによって送信された前記ユーザの属性情報を用いて、前記ユーザ端末に配信する広告またはコンテンツを決定する決定工程と、
前記広告コンテンツ配信サーバが、前記決定工程によって決定された広告またはコンテンツを前記ユーザ端末に配信する配信工程と
を含んだことを特徴とする広告コンテンツ配信方法。
【請求項８】
ユーザ端末と、ウェブサイトにアクセスしたユーザ端末に対して広告またはコンテンツを配信する広告コンテンツ配信サーバとを有する広告コンテンツ配信システムで実行される広告コンテンツ配信方法であって、
前記ユーザ端末は、自端末がアクセスしたサイトであって、前記広告コンテンツ配信サーバに広告またはコンテンツの配信を依頼している事業者のサイトである事業者サイトの情報を記憶する記憶部を備え、
前記ユーザ端末が、前記事業者サイトにアクセスするたびに、アクセスした事業者サイトの情報を取得し、該事業者サイトの情報を前記記憶部に格納する取得工程と、
前記ユーザ端末が、前記記憶部によって記憶された事業者サイトの情報に基づいて、前記ユーザ端末を利用するユーザの属性情報を特定する特定工程と、
前記ユーザ端末が、前記広告コンテンツ配信サーバから属性情報の要求を受け付けた場合に、前記特定工程によって特定されたユーザの属性情報を前記広告コンテンツ配信サーバに送信する送信工程と、
前記広告コンテンツ配信サーバが、前記ユーザ端末がウェブサイトにアクセスした場合に、前記ユーザ端末によって送信された前記ユーザの属性情報を用いて、前記ユーザ端末に配信する広告またはコンテンツを決定する決定工程と、
前記広告コンテンツ配信サーバが、前記決定工程によって決定された広告またはコンテンツを前記ユーザ端末に配信する配信工程と
を含んだことを特徴とする広告コンテンツ配信方法。
【発明の詳細な説明】
【技術分野】
【０００１】
本発明は、広告コンテンツ配信システムおよび広告コンテンツ配信方法に関する。
【背景技術】
【０００２】
従来、広告配信事業者やコンテンツ配信事業者が、通信ネットワーク上でＷｏｒｌｄ  Ｗｉｄｅ  Ｗｅｂ（ＷＷＷ）技術を用いて、ユーザに広告やコンテンツを配信するにあたって、ユーザの好みや属性などにしたがって、ユーザ毎に広告やコンテンツをユーザに提供する広告・コンテンツ配信システムが知られている。
【０００３】
このような広告・コンテンツ配信システムでは、図２２および図２３に例示するように、インターネット６００、インターネット６００に接続された各種Ｗｅｂサーバである広告・コンテンツ配信依頼元事業者サイト（以下では、適宜「事業者サーバ」と記載）２００、広告・コンテンツ配信サーバ３００、ポータルサイト（以下では、適宜「ポータルサイトサーバ」と記載）４００、および端末１００が当該各種Ｗｅｂサーバにアクセスするために通信事業者が提供するアクセス網５００から構成される。
【０００４】
事業者サーバ２００は、広告・コンテンツ配信事業者に広告やコンテンツの配信を依頼する広告・コンテンツ配信依頼元事業者のＷｅｂサイトのサーバである。また、広告・コンテンツ配信サーバ３００は、ユーザに広告やコンテンツを配信する広告・コンテンツ配信事業者が設置するサーバである。また、ポータルサイトサーバ４００は、ユーザがＷｅｂの閲覧を行うポータルサイトのサーバである。
【０００５】
ここで、広告・コンテンツ配信依頼元事業者の事業者サーバ２００と広告・コンテンツ配信事業者の広告・コンテンツ配信サーバ３００との間には、あらかじめ広告やコンテンツを配信するための提携がある。そして、事業者サーバ２００は、広告・コンテンツ配信サーバ３００にユーザに配信する広告やコンテンツを提供する。そして、広告・コンテンツ配信サーバ３００の配信事業者は、当該広告・コンテンツを広告・コンテンツ配信サーバ３００に格納している。
【０００６】
また、ポータルサイトサーバ４００と広告・コンテンツ配信サーバ３００との間には、あらかじめポータルサイトのコンテンツの一部に、広告・コンテンツ配信サーバ３００が提供する広告やコンテンツを含めるための提携をしている。ユーザがＷｅｂを閲覧するための端末１００は、当該アクセス網５００に接続している。
【０００７】
ここで、図２２を用いて、従来のアクセス履歴の管理について説明する。まず、図２２の（１）に示すように、ユーザが端末１００のブラウザから広告・コンテンツ配信依頼元事業者サイト２００にアクセスすると、ブラウザは当該サイトのコンテンツを受信する。ここで、当該サイトのコンテンツであるｈｔｍｌファイルには、広告・コンテンツ配信サーバ３００にアクセスするように記述してあり、ブラウザは、広告・コンテンツ配信依頼元事業者サイト２００のコンテンツを表示するとともに、広告・コンテンツ配信サーバ３００にアクセスする。
【０００８】
次に、図２２の（２）、（３）に示すように、端末１００のブラウザが広告・コンテンツ配信サーバ３００にアクセスすると、広告・コンテンツ配信サーバ３００は端末１００にクッキーを送信する。クッキーには、ユーザが広告・コンテンツ配信依頼元事業者サイト２００にアクセスした履歴が記載されている。
【０００９】
次に、図２３を用いて、従来の広告コンテンツの配信の流れについて説明する。まず、図２３の（１）に示すように、ユーザが端末１００のブラウザからポータルサイト４００にアクセスすると、ブラウザはポータルサイト４００のコンテンツを受信する。ポータルサイト４００のコンテンツであるｈｔｍｌファイルには、広告・コンテンツ配信サーバ３００にアクセスするように記述してある。
【００１０】
次に、図２３の（２）、（３）に示すように、端末１００のブラウザは、受信したクッキーとともに広告・コンテンツ配信サーバ３００にアクセスする。広告・コンテンツ配信サーバ３００は、クッキーを受信すると、クッキーに記載されているユーザのＷｅｂサイトのアクセス履歴にしたがって、ユーザの好みなどに適した広告やコンテンツをブラウザに送信する。その後、ユーザの端末１００のブラウザは、受信したポータルサイト４００のコンテンツとともに、広告・コンテンツ配信サーバ３００から受信した広告やコンテンツを表示する。
【先行技術文献】
【非特許文献】
【００１１】
【非特許文献１】トラッキングＣｏｏｋｉｅとは、［online］、［平成２６年２月１３日検索］、インターネット＜http://itpro.nikkeibp.co.jp/article/Keyword/20070222/262882/＞
【非特許文献２】Ｃｏｏｋｉｅの仕組み、［online］、［平成２６年２月１３日検索］、インターネット＜http://guardian.ne.jp/cookie.html＞
【非特許文献３】「サードパーティクッキー」が危険な理由を正しく知りましょう、［online］、［平成２６年２月１３日検索］、インターネット＜http://ascii.jp/elem/000/000/654/654929/＞
【発明の概要】
【発明が解決しようとする課題】
【００１２】
しかしながら、上記した従来の技術では、ユーザの各Ｗｅｂサイトへのアクセス履歴をユーザ自身が管理できないため、ユーザのアクセス履歴の管理を簡易且つ適切に行うことが出来ないという課題があった。
【００１３】
具体的には、ユーザが広告・コンテンツ配信事業者と提携している広告・コンテンツ配信依頼元事業者などのＷｅｂサイトにアクセスすると、ユーザが認識することなく広告・コンテンツ配信事業者のＷｅｂサイトへもアクセスして、ユーザが知らないうちに自分のアクセス履歴が第三者である上記Ｗｅｂサイトで管理されている。このため、ユーザのアクセス履歴の管理を適切に行うために、第三者が、本人の許可なくユーザのアクセス履歴を参照、改ざんできないように対策することが必要であった。
【００１４】
また、ユーザが、広告・コンテンツ配信事業者からの広告・コンテンツの配信を制御する仕組みがない。このため、ユーザが、自分のアクセス履歴を修正したり、特定の広告・コンテンツ配信事業者によるアクセス履歴へのアクセスの拒否設定をしたりするなどの管理を行うことができず、配信される広告やコンテンツの選択ができない。
【００１５】
また、Ｗｅｂブラウザのデフォルトの設定では、サードパーティクッキーのアクセスを拒否しているものもあり、クッキーを利用したアクセス履歴の管理は制限される傾向にある。このため、広告・コンテンツ配信事業者がユーザに広告やコンテンツを配信する場合には、クッキーを利用しないでユーザのアクセス履歴を参照し、広告やコンテンツを配信する方法が必要であった。
【００１６】
そこで、この発明は、上述した従来技術の課題を解決するためになされたものであり、ユーザのアクセス履歴の管理を簡易且つ適切に行うことを目的とする。
【課題を解決するための手段】
【００１７】
上述した課題を解決し、目的を達成するため、広告コンテンツ配信システムは、ユーザ端末のアクセス履歴を管理するアクセス履歴サーバと、ウェブサイトにアクセスしたユーザ端末に対して広告またはコンテンツを配信する広告コンテンツ配信サーバとを有する広告コンテンツ配信システムであって、前記アクセス履歴サーバは、前記ユーザ端末のユーザが契約した通信事業者が提供するアクセス網内に設置され、前記ユーザ端末がアクセスしたサイトであって、前記広告コンテンツ配信サーバに広告またはコンテンツの配信を依頼している事業者のサイトである事業者サイトの情報を記憶する記憶部と、前記ユーザ端末が前記事業者サイトにアクセスするたびに、該ユーザ端末からアクセスした事業者サイトの情報を取得し、該事業者サイトの情報を前記記憶部に格納する取得部と、前記記憶部によって記憶された事業者サイトの情報に基づいて、前記ユーザ端末を利用するユーザの属性情報を特定する特定部と、前記広告コンテンツ配信サーバから属性情報の要求を受け付けた場合に、前記特定部によって特定されたユーザの属性情報を前記広告コンテンツ配信サーバに送信する送信部とを備え、前記広告コンテンツ配信サーバは、前記ユーザ端末がウェブサイトにアクセスした場合に、前記アクセス履歴サーバによって送信された前記ユーザの属性情報を用いて、前記ユーザ端末に配信する広告またはコンテンツを決定する決定部と、前記決定部によって決定された広告またはコンテンツを前記ユーザ端末に配信する配信部とを備えることを特徴とすることを特徴とする。
【００１８】
また、広告コンテンツ配信方法は、ユーザ端末のアクセス履歴を管理するアクセス履歴サーバと、ウェブサイトにアクセスしたユーザ端末に対して広告またはコンテンツを配信する広告コンテンツ配信サーバとを有する広告コンテンツ配信システムで実行される広告コンテンツ配信方法であって、前記アクセス履歴サーバは、前記ユーザ端末のユーザが契約した通信事業者が提供するアクセス網内に設置され、前記アクセス履歴サーバは、前記ユーザ端末がアクセスしたサイトであって、前記広告コンテンツ配信サーバに広告またはコンテンツの配信を依頼している事業者のサイトである事業者サイトの情報を記憶する記憶部を備え、前記アクセス履歴サーバが、前記ユーザ端末が前記事業者サイトにアクセスするたびに、該ユーザ端末からアクセスした事業者サイトの情報を取得し、該事業者サイトの情報を前記記憶部に格納する取得工程と、前記アクセス履歴サーバが、前記記憶部によって記憶された事業者サイトの情報に基づいて、前記ユーザ端末を利用するユーザの属性情報を特定する特定工程と、前記アクセス履歴サーバが、前記広告コンテンツ配信サーバから属性情報の要求を受け付けた場合に、前記特定工程によって特定されたユーザの属性情報を前記広告コンテンツ配信サーバに送信する送信工程と、前記広告コンテンツ配信サーバが、前記ユーザ端末がウェブサイトにアクセスした場合に、前記アクセス履歴サーバによって送信された前記ユーザの属性情報を用いて、前記ユーザ端末に配信する広告またはコンテンツを決定する決定工程と、前記広告コンテンツ配信サーバが、前記決定工程によって決定された広告またはコンテンツを前記ユーザ端末に配信する配信工程とを含んだことを特徴とする。
【発明の効果】
【００１９】
本願に開示する広告コンテンツ配信システムおよび広告コンテンツ配信方法は、ユーザのアクセス履歴の管理を簡易且つ適切に行うことができるという効果を奏する。
【図面の簡単な説明】
【００２０】
【図１】図１は、第一の実施形態に係る広告コンテンツ配信システムの全体構成を示す概略構成図である。
【図２】図２は、第一の実施形態に係るアクセス履歴サーバの構成を示すブロック図である。
【図３】図３は、アクセス履歴記憶部に記憶されるテーブルの一例を示す図である。
【図４】図４は、属性情報記憶部に記憶されるテーブルの一例を示す図である。
【図５】図５は、第一の実施形態に係る回線ＩＤ管理サーバの構成を示すブロック図である。
【図６】図６は、回線ＩＤ記憶部に記憶されるテーブルの一例を示す図である。
【図７】図７は、第一の実施形態に係る広告・コンテンツ配信サーバの構成を示すブロック図である。
【図８】図８は、第一の実施形態に係る広告コンテンツ配信システムにおけるアクセス履歴の管理の流れを説明する図である。
【図９】図９は、第一の実施形態に係る広告コンテンツ配信システムにおける広告・コンテンツ送信の流れを説明する図である。
【図１０】図１０は、第一の実施形態に係る広告コンテンツ配信システムにおけるアクセス履歴管理処理の流れを説明するシーケンス図である。
【図１１】図１１は、第一の実施形態に係る広告コンテンツ配信システムにおける広告・コンテンツ送信処理の流れを説明するシーケンス図である。
【図１２】図１２は、第二の実施形態に係るアクセス履歴サーバの構成を示すブロック図である。
【図１３】図１３は、第二の実施形態に係る広告コンテンツ配信システムにおけるアクセス履歴の管理の流れを説明する図である。
【図１４】図１４は、第二の実施形態に係る広告コンテンツ配信システムにおける広告・コンテンツ送信の流れを説明する図である。
【図１５】図１５は、第二の実施形態に係る広告コンテンツ配信システムにおけるアクセス履歴管理処理の流れを説明するシーケンス図である。
【図１６】図１６は、第二の実施形態に係る広告コンテンツ配信システムにおける広告・コンテンツ送信処理の流れを説明するシーケンス図である。
【図１７】図１７は、第三の実施形態に係る広告コンテンツ配信システムにおけるアクセス履歴の管理の流れを説明する図である。
【図１８】図１８は、第三の実施形態に係る広告コンテンツ配信システムにおける広告・コンテンツ送信の流れを説明する図である。
【図１９】図１９は、第三の実施形態に係る広告コンテンツ配信システムにおけるアクセス履歴管理処理の流れを説明するシーケンス図である。
【図２０】図２０は、第三の実施形態に係る広告コンテンツ配信システムにおける広告・コンテンツ送信処理の流れを説明するシーケンス図である。
【図２１】図２１は、プログラムを実行するコンピュータを示す図である。
【図２２】図２２は、従来のアクセス履歴の管理の流れを説明する図である。
【図２３】図２３は、従来の広告・コンテンツ送信の流れを説明する図である。
【発明を実施するための形態】
【００２１】
以下に、本願に係る広告コンテンツ配信システムおよび広告コンテンツ配信方法の実施形態を図面に基づいて詳細に説明する。なお、この実施形態により本願に係る広告コンテンツ配信システムおよび広告コンテンツ配信方法が限定されるものではない。
【００２２】
［第一の実施形態］
以下の実施形態では、第一の実施形態に係る広告コンテンツ配信システムの構成、アクセス履歴サーバの構成、回線ＩＤ管理サーバの構成、広告・コンテンツ配信サーバの構成および広告コンテンツ配信システムにおける処理の流れを順に説明し、最後に第一の実施形態による効果を説明する。
【００２３】
［第一の実施形態に係る広告コンテンツ配信システムの構成］
まず、図１を用いて、第一の実施形態に係る広告コンテンツ配信システムについて説明する。図１は、第一の実施形態に係る広告コンテンツ配信システムの全体構成を示すシステム構成図である。
【００２４】
図１に示すように、広告コンテンツ配信システム１には、ユーザが契約した通信事業者が提供するアクセス網７０内にアクセス履歴サーバ１０、回線ＩＤ管理サーバ２０および端末（以下、適宜「ユーザ端末」と記載）３０が設置されている。また、インターネット８０に接続された各種Ｗｅｂサーバである広告・コンテンツ配信依頼元事業者サイト（以下、適宜「事業者サイト」と記載）４０、広告・コンテンツ配信サーバ（以下、適宜「広告コンテンツ配信サーバ」と記載）５０、ポータルサイト６０を有する。なお、ここで、広告・コンテンツ配信依頼元事業者サイト４０とは、事業者サーバが運営するサイトと事業者サーバの両方の意味を含むものとして用語を使用する。また、ポータルサイト６０についても、ポータルサイトとポータルサイトを運営するサーバの両方の意味を含むものとして用語を使用する。
【００２５】
アクセス履歴サーバ１０は、ユーザが契約した通信事業者が提供するアクセス網７０内に設置され、ユーザ端末３０のアクセス履歴を管理するサーバである。このアクセス履歴サーバ１０は、ユーザ端末３０がアクセスしたサイトであって、広告・コンテンツ配信サーバ５０に広告またはコンテンツの配信を依頼している事業者のサイトである事業者サイトの情報を記憶するアクセス履歴記憶部１３ａを有する（後述する図２参照）。
【００２６】
そして、アクセス履歴サーバ１０は、ユーザ端末３０が事業者のサーバにアクセスするたびに、該ユーザ端末３０からアクセスした事業者サイトの情報を取得し、該事業者サイトの情報をアクセス履歴記憶部１３ａに格納する。
【００２７】
そして、アクセス履歴サーバ１０は、アクセス履歴記憶部１３ａによって記憶された事業者サイトの情報に基づいて、ユーザ端末３０を利用するユーザの属性情報を特定する。その後、アクセス履歴サーバ１０は、広告コンテンツ配信サーバ５０から属性情報の要求を受け付けた場合に、特定されたユーザの属性情報を広告コンテンツ配信サーバ５０に送信する。
【００２８】
さらに、アクセス履歴サーバ１０は、ユーザが、アクセス履歴サーバが保持している自分のアクセス履歴を参照したり、修正したり、自分のアクセス履歴を参照できる広告・コンテンツ配信事業者を選択したりするためのユーザインタフェースを搭載している。なお、このユーザインタフェースには、本人性を確認するための認証機能を有する。また、ユーザがアクセス履歴を参照できる広告・コンテンツ配信事業者を選択する場合に限定されるものではなく、アクセス履歴サーバ１０が自律的にアクセス履歴を参照できる広告・コンテンツ配信事業者を選択するようにしてもよい。
【００２９】
例えば、アクセス履歴サーバ１０では、アクセス履歴に含まれる個人情報（例えば、生年月日や性別等）については、広告・コンテンツ配信事業者がアクセスできないように設定できるようにしてもよい。また、ユーザのアクセス履歴を参照できる広告・コンテンツ配信事業者に関するＵＲＬやアドレス情報、もしくは、アクセス履歴を参照させない広告・コンテンツ配信事業者に関するＵＲＬやアドレス情報等を登録できるようにしてもよい。
【００３０】
回線ＩＤ管理サーバ２０は、ユーザ端末３０が利用するアクセス網７０に対応する回線を識別する回線ＩＤを管理するサーバである。回線ＩＤ管理サーバ２０は、アクセス履歴サーバ１０からポータルサイト６０にアクセスしたユーザ端末３０に対応する回線ＩＤの要求を受け付けると、ユーザ端末３０に対応する回線ＩＤをアクセス履歴サーバ１０に送信する。
【００３１】
端末３０は、ユーザがＷｅｂを閲覧するための端末であり、当該アクセス網７０に接続している。例えば、端末３０は、広告・コンテンツ配信依頼元事業者サイト４０や、ポータルサイト６０にアクセスする。
【００３２】
広告・コンテンツ配信依頼元事業者サイト４０は、広告・コンテンツ配信事業者に広告やコンテンツの配信を依頼する広告・コンテンツ配信依頼元事業者のＷｅｂサイトのサーバが運営するサイトである。また、広告・コンテンツ配信依頼元事業者サイト４０は、ユーザに広告やコンテンツを配信する広告・コンテンツ配信事業者が設置する。また、ポータルサイト６０は、ユーザがＷｅｂの閲覧を行うポータルサイトのサーバである。
【００３３】
ここで、広告・コンテンツ配信依頼元事業者サイト４０、と広告・コンテンツ配信サーバ５０との間には、あらかじめ広告やコンテンツを配信するための提携がある。そして、広告・コンテンツ配信依頼元事業者サイト４０は、広告・コンテンツ配信サーバ５０にユーザに配信する広告やコンテンツを提供する。そして、広告・コンテンツ配信サーバ５０の配信事業者は、当該広告・コンテンツを広告・コンテンツ配信サーバ５０に格納している。
【００３４】
また、ポータルサイト６０と広告・コンテンツ配信サーバ５０との間には、あらかじめポータルサイトのコンテンツの一部に、広告・コンテンツ配信サーバ５０が提供する広告やコンテンツを含めるための提携をしている。
【００３５】
また、広告・コンテンツ配信事業者と通信事業者の間には、あらかじめ広告・コンテンツ配信事業者がユーザのアクセス履歴に参照するための提携があり、広告・コンテンツ配信サーバ５０は、ユーザが設定したアクセス権にしたがって、ユーザのアクセス履歴を参照することができる。
【００３６】
［アクセス履歴サーバの構成］
次に、図２を用いて、図１に示したアクセス履歴サーバの構成を説明する。図２は、第一の実施形態に係るアクセス履歴サーバの構成を示すブロック図である。図２に示すように、このアクセス履歴サーバ１０は、通信処理部１１、制御部１２、記憶部１３、インタフェース部１４を有する。以下にこれらの各部の処理を説明する。
【００３７】
通信処理部１１は、接続される回線ＩＤ管理サーバ２０や端末３０との間でやり取りする各種情報に関する通信を制御する。
【００３８】
記憶部１３は、制御部１２による各種処理に必要なデータおよびプログラムを格納するが、特に本発明に密接に関連するものとしては、アクセス履歴記憶部１３ａおよび属性情報記憶部１３ｂを有する。記憶部１３は、回線ＩＤごとにユーザ端末３０がアクセスした事業者サイト４０の情報を記憶するとともに、回線ＩＤごとにユーザの属性情報を記憶する。
【００３９】
アクセス履歴記憶部１３ａは、ユーザ端末３０がアクセスしたサイトであって、広告コンテンツ配信サーバ５０に広告またはコンテンツの配信を依頼している事業者のサイトである事業者サイト４０の情報を記憶する。例えば、アクセス履歴記憶部１３ａは、図３に例示するように、アクセスサイトのＵＲＬを示す「アクセスサイト」と、ユーザが利用する回線を一意に識別する「回線ＩＤ」とが対応付けて記憶されている。
【００４０】
属性情報記憶部１３ｂは、回線ＩＤごとにユーザの属性情報を記憶する。例えば、属性情報記憶部１３ｂは、図４に例示するように、ユーザが利用する回線を一意に識別する「回線ＩＤ」と、ユーザの好みや属性をしめす「属性」とを対応付けて記憶する。
【００４１】
制御部１２は、各種の処理手順などを規定したプログラムおよび所要データを格納するための内部メモリを有し、これらによって種々の処理を実行するが、特に本発明に密接に関連するものとしては、取得部１２ａ、特定部１２ｂおよび送信部１２ｃを有する。
【００４２】
取得部１２ａは、ユーザ端末３０が事業者サイト４０にアクセスするたびに、該ユーザ端末３０からアクセスした事業者サイト４０の情報を取得し、該事業者サイト４０の情報をアクセス履歴記憶部１３ａに格納する。
【００４３】
具体的には、取得部１２ａは、ユーザ端末３０からアクセスした事業者サイト４０の情報を取得するとともに、該ユーザ端末３０が利用するアクセス網７０に対応する回線ＩＤを回線管理サーバ２０から取得し、回線ＩＤに対応付けて事業者サイト４０のＵＲＬをアクセス履歴記憶部１３ａに格納する。
【００４４】
特定部１２ｂは、アクセス履歴記憶部１３ａによって記憶された事業者サイトの情報に基づいて、ユーザ端末３０を利用するユーザの属性情報を特定する。具体的には、特定部１２ｂは、アクセス履歴記憶部１３ａによって記憶された事業者サイト４０のＵＲＬに基づいて、ユーザ端末３０を利用するユーザの属性情報を特定し、該属性情報を回線ＩＤに対応付けて属性情報記憶部１３ｂに格納する。
【００４５】
ここで、ユーザの属性情報を特定する方法として、既存の技術のいずれの方法を用いてもよい。例えば、特定部１２ｂは、事業者サイト４０のテキストを形態素解析し、高頻度で登場する形態素をキーワードとして抽出したり、タイトルとして指定されている文字列をキーワードとして抽出したり、メタデータをキーワードとして抽出したりすることで、抽出したキーワードをユーザの属性として特定するようにしてもよい。これにより、例えば、ユーザの属性として、「自動車」や「音楽」が好みであることを特定する。
【００４６】
送信部１２ｃは、広告コンテンツ配信サーバ５０から属性情報の要求を受け付けた場合に、特定部１２ｂによって特定されたユーザの属性情報を広告コンテンツ配信サーバ５０に送信する。具体的には、送信部１２ｃは、回線ＩＤを含む属性情報の要求を受け付けた場合に、該回線ＩＤに対応する属性情報を属性情報記憶部１３ｂから読み出し、該属性情報を広告コンテンツ配信サーバ５０に送信する。
【００４７】
インタフェース部１４は、記憶部１３に記憶された情報の参照要求、記憶部１３に記憶された情報の修正要求、または、記憶部１３に記憶された情報を参照可能な広告・コンテンツ配信事業者の選択指示を受け付ける。具体的には、インタフェース部１４は、ユーザが、アクセス履歴サーバが保持している自分のアクセス履歴を参照したり、修正したり、自分のアクセス履歴を参照できる広告・コンテンツ配信事業者を選択したりするためのユーザインタフェースである。
【００４８】
［回線ＩＤ管理サーバの構成］
次に、図５を用いて、図１に示した回線ＩＤ管理サーバの構成を説明する。図５は、第一の実施形態に係る回線ＩＤ管理サーバの構成を示すブロック図である。図５に示すように、この回線ＩＤ管理サーバ２０は、通信処理部２１、制御部２２、記憶部２３を有する。以下にこれらの各部の処理を説明する。
【００４９】
通信処理部２１は、接続されるアクセス履歴サーバ１０との間でやり取りする各種情報に関する通信を制御する。例えば、通信処理部２１は、アクセス履歴サーバ１０に対して、回線ＩＤを送信する。
【００５０】
記憶部２３は、制御部２２による各種処理に必要なデータおよびプログラムを格納するが、特に本発明に密接に関連するものとしては、回線ＩＤ記憶部２３ａを有する。回線ＩＤ記憶部２３ａは、ユーザ端末３０ごとに、該ユーザ端末３０が利用するアクセス網７０に対応する回線ＩＤを記憶する。例えば、回線ＩＤ記憶部２３ａは、図６に例示するように、ユーザ端末３０またはユーザを一意に識別する「ユーザ」と、ユーザが利用する回線を一意に識別する「回線ＩＤ」とを対応付けて記憶する。
【００５１】
制御部２２は、各種の処理手順などを規定したプログラムおよび所要データを格納するための内部メモリを有し、これらによって種々の処理を実行するが、特に本発明に密接に関連するものとしては、受付部２２ａおよび送信部２２ｂを有する。
【００５２】
受付部２２ａは、事業者サイト４０またはポータルサイト６０にアクセスしたユーザ端末３０について、該ユーザ端末３０が利用するアクセス網７０に対応する回線ＩＤの要求をアクセス履歴サーバ１０から受け付ける。
【００５３】
送信部２２ｂは、受付部２２ａによって回線ＩＤの要求を受け付けた場合に、ユーザ端末３０が利用するアクセス網７０に対応する回線ＩＤをアクセス履歴サーバ１０に送信する。具体的には、送信部２２ｂは、ユーザまたはユーザ端末３０を識別するユーザ情報を含む回線ＩＤの要求を受け付けた場合に、該ユーザ情報に対応する回線ＩＤを回線ＩＤ記憶部２３ａから読み出し、読み出した回線ＩＤをアクセス履歴サーバ１０に送信する。
【００５４】
［広告・コンテンツ配信サーバの構成］
次に、図７を用いて、図１に示した広告・コンテンツ配信サーバ５０の構成を説明する。図７は、第一の実施形態に係る広告・コンテンツ配信サーバの構成を示すブロック図である。図７に示すように、この広告・コンテンツ配信サーバ５０は、通信処理部５１、制御部５２、記憶部５３を有する。以下にこれらの各部の処理を説明する。
【００５５】
通信処理部５１は、接続されるアクセス履歴サーバ１０や端末３０との間でやり取りする各種情報に関する通信を制御する。例えば、通信処理部５１は、ユーザの好みや属性に関する情報をアクセス履歴サーバ１０から受信する。また、通信処理部５１は、ポータルサイト６０と連携してユーザ端末３０に対して、広告やコンテンツを送信する。
【００５６】
記憶部５３は、制御部５２による各種処理に必要なデータおよびプログラムを格納するが、特に本発明に密接に関連するものとしては、広告情報記憶部５３ａを有する。広告情報記憶部５３ａは、ユーザの属性ごとに、ユーザ端末３０に配信する広告やコンテンツの内容を記憶する。例えば、広告情報記憶部５３ａは、ユーザの属性「自動車」に対応付けて、自動車の広告やコンテンツに関する情報を記憶する。
【００５７】
制御部５２は、各種の処理手順などを規定したプログラムおよび所要データを格納するための内部メモリを有し、これらによって種々の処理を実行するが、特に本発明に密接に関連するものとしては、決定部５２ａおよび配信部５２ｂを有する。
【００５８】
決定部５２ａは、ユーザ端末３０がポータルサイト６０にアクセスした場合に、アクセス履歴サーバ１０によって送信されたユーザの属性情報を用いて、ユーザ端末３０に配信する広告またはコンテンツを決定する。例えば、決定部５２ａは、ユーザの属性が「自動車」である場合には、広告情報記憶部５３ａに記憶された属性「自動車」に対応する自動車の広告やコンテンツから、配信する広告やコンテンツに関する情報を決定する。
【００５９】
配信部５２ｂは、決定部５２ａによって決定された広告またはコンテンツをユーザ端末３０に配信する。具体的には、配信部５２ｂは、ポータルサイト６０と連携して、ユーザ端末３０のブラウザに対して、ユーザの属性に応じた広告・コンテンツを配信する。
【００６０】
［広告コンテンツ配信システムによる処理］
次に、図８および図９を用いて、第一の実施形態に係る広告コンテンツ配信システム１による処理の概要を説明する。図８は、第一の実施形態に係る広告コンテンツ配信システムにおけるアクセス履歴の管理の流れを説明する図である。図９は、第一の実施形態に係る広告コンテンツ配信システムにおける広告・コンテンツ送信の流れを説明する図である。
【００６１】
図８に示すように、広告・コンテンツ配信依頼元事業者サイト４０は、端末３０のブラウザからアクセスがあると（図８の（１）参照）、アクセス履歴サーバ１０にアクセスするように記述してあるｈｔｍｌファイルをコンテンツとして端末３０のブラウザに送信する。
【００６２】
そして、アクセス履歴サーバ１０は、通信事業者が提供するアクセス網７０に接続し、
回線ＩＤ管理サーバ２０から端末３０の回線ＩＤを取得することで、ユーザがアクセスしたＷｅｂサイトの履歴を、ユーザが通信事業者と契約している回線のＩＤと関連づけて保持する（図８（２）、（３）参照）。また、回線ＩＤ管理サーバ２０は、アクセス網７０内に設置され、通信事業者と契約しているユーザの回線ＩＤを管理し、アクセス履歴サーバ１０からの要求により、ユーザの回線ＩＤをアクセス履歴サーバ１０に返信する（図８の（３）参照）。
【００６３】
その後、図９に示すように、ポータルサイト６０は、端末３０のブラウザからアクセスがあると（図９の（１）参照）、アクセス履歴サーバ１０にアクセスするように記述してあるｈｔｍｌファイルをコンテンツとして端末３０のブラウザに送信する。
【００６４】
また、端末３０のブラウザからアクセスがあると（図９の（２）参照）、当該端末３０のユーザが通信事業者と契約している回線ＩＤとともに、広告・コンテンツ配信サーバ５０にアクセスする（図９の（３）参照）ように記述してあるｈｔｍｌファイルをコンテンツとして端末３０のブラウザに送信する。
【００６５】
さらに、広告・コンテンツ配信サーバ５０は、ユーザが契約している回線ＩＤによりアクセス履歴サーバ１０からユーザの好みや属性を取得して（図９の（４）参照）、ユーザに最適な広告やコンテンツを配信する（図９の（５）参照）。
【００６６】
次に、図１０および図１１を用いて、第一の実施形態に係る広告コンテンツ配信システム１による処理を説明する。図１０は、第一の実施形態に係る広告コンテンツ配信システムにおけるアクセス履歴管理処理の流れを説明するシーケンス図である。図１１は、第一の実施形態に係る広告コンテンツ配信システムにおける広告・コンテンツ送信処理の流れを説明するシーケンス図である。
【００６７】
まず、図１０に示すように、ユーザが端末３０のブラウザから広告・コンテンツ配信依頼元事業者サイト４０にアクセスすると（ステップＳ１０１）、広告・コンテンツ配信依頼元事業者サイト４０は、アクセス履歴サーバ１０にアクセスするように記載されているｈｔｍｌファイルをコンテンツとして端末３０のブラウザに送信する（ステップＳ１０２）。
【００６８】
そして、端末３０のブラウザが、アクセスした広告・コンテンツ配信依頼元事業者サイト４０のＵＲＬをパラメータとしてアクセス履歴サーバ１０にアクセスする（ステップＳ１０３）。続いて、アクセス履歴サーバ１０は、回線ＩＤ管理サーバ２０からユーザが契約している回線の回線ＩＤの取得を要求し（ステップＳ１０４）、該要求に対する応答を受信して（ステップＳ１０５）、回線ＩＤを取得する。
【００６９】
そして、アクセス履歴サーバ１０は、取得した回線ＩＤと広告・コンテンツ配信依頼元事業者サイト４０のＵＲＬを括り付けて保持し（ステップＳ１０６）、端末３０に応答する（ステップＳ１０７）。
【００７０】
次に、図１１に示すように、ユーザが端末３０のブラウザからポータルサイト６０にアクセスすると（ステップＳ２０１）、ポータルサイト６０は、アクセス履歴サーバ１０にアクセスするように記載されているｈｔｍｌファイルをコンテンツとして端末３０のブラウザに送信する（ステップＳ２０２）。このとき、ポータルサイト６０が提携している広告・コンテンツ配信サーバ５０のＵＲＬをパラメータとして端末３０のブラウザに送信する。
【００７１】
そして、端末３０のブラウザが取得した広告・コンテンツ配信サーバ５０のＵＲＬをパラメータとしてアクセス履歴サーバ１０にアクセスすると（ステップＳ２０３）、アクセス履歴サーバ１０は、回線ＩＤ管理サーバ２０からユーザが契約している回線の回線ＩＤの取得を要求し（ステップＳ２０４）、該要求に対する応答を受信して（ステップＳ２０５）、回線ＩＤを取得する。そして、アクセス履歴サーバ１０は、取得した回線ＩＤをパラメータとして広告・コンテンツ配信サーバ５０にアクセスするように記載されているｈｔｍｌファイルをコンテンツとして端末３０のブラウザに送信する（ステップＳ２０６）。
【００７２】
その後、端末３０のブラウザが回線ＩＤをパラメータとして広告・コンテンツ配信サーバ５０にアクセスすると（ステップＳ２０７）、広告・コンテンツ配信サーバ５０は、回線ＩＤをパラメータとしてアクセス履歴サーバ１０に当該回線ＩＤで契約しているユーザの好みや属性の取得を要求する（ステップＳ２０８）。
【００７３】
アクセス履歴サーバ１０は、当該回線ＩＤで契約しているユーザのアクセス履歴へのアクセス権が当該広告・コンテンツ配信サーバ５０に与えられているかを確認する（ステップＳ２０９）。この結果、アクセス権が与えられていない場合、アクセス履歴サーバ１０は、コンテンツ配信サーバ５０に対してエラー応答を行う（ステップＳ２１０）。
【００７４】
一方、アクセス権が与えられている場合、アクセス履歴サーバ１０は、保持した回線ＩＤと広告・コンテンツ配信依頼元事業者のサイトのＵＲＬの情報をもとに、広告・コンテンツ配信サーバ５０に当該ユーザの好みや属性を送信する（ステップＳ２１１）。そして、広告・コンテンツ配信サーバ５０は、取得した当該ユーザの好みや属性から最適な広告・コンテンツを判別して、端末３０のブラウザに広告・コンテンツを配信する（ステップＳ２１２）。その後、端末３０のブラウザは、取得したポータルサイト６０のコンテンツと配信された広告・コンテンツを表示する。
【００７５】
[第一の実施形態の効果]
上述してきたように、広告コンテンツ配信システム１は、ユーザ端末３０のアクセス履歴を管理するアクセス履歴サーバ１０と、ユーザ端末３０がアクセスしたユーザ端末３０に対して広告を配信する広告コンテンツ配信サーバ５０とを有する。そして、アクセス履歴サーバ１０は、ユーザ端末３０のユーザが契約した通信事業者が提供するアクセス網７０内に設置され、ユーザ端末３０がアクセスしたサイトであって、広告コンテンツ配信サーバ５０に広告またはコンテンツの配信を依頼している事業者のサイトである事業者サイト４０のＵＲＬを記憶するアクセス履歴記憶部１３ａを有する。そして、アクセス履歴サーバ１０は、ユーザ端末３０が事業者サイト４０にアクセスするたびに、該ユーザ端末３０からアクセスした事業者サイト４０のＵＲＬを取得し、該事業者サイト３０のＵＲＬをアクセス履歴記憶部１３ａに格納し、アクセス履歴記憶部１３ａによって記憶された事業者サイト４０の情報に基づいて、ユーザ端末３０を利用するユーザの属性情報を特定する、そして、アクセス履歴サーバ１０は、広告コンテンツ配信サーバ５０から属性情報の要求を受け付けた場合に、特定されたユーザの属性情報を広告コンテンツ配信サーバ５０に送信する。また、広告コンテンツ配信サーバ５０は、ユーザ端末３０がポータルサイト６０にアクセスした場合に、アクセス履歴サーバ１０によって送信されたユーザの属性情報を用いて、ユーザ端末３０に配信する広告を決定し、決定された広告をユーザ端末３０に配信する。これにより、ユーザのアクセス履歴の管理を簡易且つ適切に行うことが可能である。
【００７６】
また、アクセス履歴サーバ１０がアクセス網７０に接続し、ユーザが契約している回線のＩＤとユーザがアクセスしたサイトのＵＲＬを括り付けて保持していることから、広告・コンテンツ配信事業者は、回線契約単位の好みや属性にしたがって広告やコンテンツを配信することが可能となる。
【００７７】
また、ユーザは、ユーザインタフェースを有するアクセス履歴サーバ１０に自分のアクセス履歴を保持するため、自分のアクセス履歴を修正したり、特定の広告・コンテンツ配信事業者によるアクセス履歴へのアクセスの拒否設定をしたりするなどの管理や、配信される広告やコンテンツの選択が可能となる。そして、第三者が、本人の許可なくユーザのアクセス履歴を参照、改ざんすることを防ぐことが可能となる。さらに、クッキーを利用しないことから、ブラウザの種類に依存せずに、ユーザのアクセス履歴を参照したり、広告やコンテンツを配信することが可能となる。
【００７８】
［第二の実施形態］
上記した第一の実施形態では、ユーザの回線ＩＤとアクセスしたウェブサイトに関連付けてアクセス履歴を管理する場合を説明したが、これに限定されるものではなく、回線ＩＤとウェブサイトのログインＩＤに関連付けてアクセス履歴を管理するようにしてもよい。以下で説明する第二の実施形態では、回線ＩＤとウェブサイトのログインＩＤに関連付けてアクセス履歴を管理し、ログインＩＤに関連づけられたワンタイムＩＤを関連付けて管理する場合について説明する。なお、第一の実施形態と共通する構成・処理については説明を省略する。
【００７９】
まず、図１２を用いて、第二の実施形態に係るアクセス履歴サーバ１０Ａの構成について説明する。図１２は、第二の実施形態に係るアクセス履歴サーバの構成を示すブロック図である。図１２に示すように、第二の実施形態に係るアクセス履歴サーバ１０Ａは、第一の実施形態に係るアクセス履歴サーバ１０と比較して、発行部１２ｄをさらに有する点で相違する。
【００８０】
発行部１２ｄは、ログイン情報に対応する使用期間が限定された情報であるワンタイムＩＤを発行し、発行したワンタイムＩＤを広告コンテンツ配信サーバ５０に送信する。
【００８１】
また、記憶部１３は、回線ＩＤごとにポータルサイト６０にログインするためのログインＩＤをさらに記憶するとともに、ログインＩＤとポータルサイト６０にログイン可能な期間が制限されたワンタイムＩＤとをさらに対応付けて記憶する。
【００８２】
また、取得部１２ａは、ユーザ端末３０からアクセスした事業者サイト４０の情報およびログインＩＤを取得するとともに、該ユーザ端末３０が利用するアクセス網７０に対応する回線ＩＤを回線ＩＤ管理サーバ２０から取得し、回線ＩＤに対応付けてログインＩＤを記憶部１３に格納する。
【００８３】
また、送信部１２ｃは、ワンタイムログイン情報を含む属性情報の要求を受け付けた場合に、記憶部１３において、該ワンタイムログイン情報に対応するログイン情報に対応する属性情報を、広告コンテンツ配信サーバ５０に送信する。
【００８４】
次に、図１３および図１４を用いて、第二の実施形態に係る広告コンテンツ配信システムによる処理の概要を説明する。図１３は、第二の実施形態に係る広告コンテンツ配信システムにおけるアクセス履歴の管理の流れを説明する図である。図１４は、第二の実施形態に係る広告コンテンツ配信システムにおける広告・コンテンツ送信の流れを説明する図である。
【００８５】
図１３に示すように、広告・コンテンツ配信依頼元事業者サイト４０は、端末３０のブラウザからアクセスがあると、ログイン画面を端末３０のブラウザに表示してユーザの認証を行う。そして、ユーザは端末３０のブラウザにログインＩＤを入力することにより、広告・コンテンツ配信依頼元事業者サイト４０にログインする（図１３の（１）参照）。そして、ログイン後、広告・コンテンツ配信依頼元事業者サイト４０は、アクセス履歴サーバ１０にアクセスするように記述してあるｈｔｍｌファイルをコンテンツとして端末３０のブラウザに送信する。
【００８６】
アクセス履歴サーバ１０Ａは、通信事業者が提供するアクセス網７０に接続し、ユーザがアクセスしたＷｅｂサイトの履歴を、当該Ｗｅｂサイトにログインした際のログインＩＤとユーザが通信事業者と契約している回線のＩＤを関連づけて保持している（図１３の（２）、（３）参照）。回線ＩＤ管理サーバ２０は、アクセス網７０内に設置され、通信事業者と契約しているユーザの回線ＩＤを管理し、アクセス履歴サーバ１０Ａからの要求により（図１３の（３）参照）、ユーザの回線ＩＤをアクセス履歴サーバ１０Ａに返信する。
【００８７】
そして、図１４に示すように、ポータルサイト６０は、端末３０のブラウザからアクセスがあると、ログイン画面を端末３０のブラウザに表示してユーザの認証を行う。ユーザは、端末３０のブラウザにログインＩＤを入力することにより、ポータルサイト６０にログインする（図１４の（１）参照）。ログイン後、ポータルサイト６０は、アクセス履歴サーバ１０Ａにアクセスするように記述してあるｈｔｍｌファイルをコンテンツとして端末３０のブラウザに送信する。
【００８８】
また、端末３０のブラウザからアクセスがあると（図１４の（２）参照）、ポータルサイト６０にログインした際のログインＩＤに関連づけられたワンタイムＩＤと当該端末３０のユーザが通信事業者と契約している回線のＩＤとともに、広告・コンテンツ配信サーバ５０にアクセスする（図１４の（３）参照）ように記述してあるｈｔｍｌファイルをコンテンツとして端末３０のブラウザに送信する。
【００８９】
当該ワンタイムＩＤは、詐称されないための十分な長さを持つ文字列で乱数などを用いて生成され、有効期間内に１回のみアクセス履歴サーバにアクセスする際のパラメータとして有効である。アクセス履歴サーバ１０Ａは、広告・コンテンツ配信サーバ５０からワンタイムＩＤをパラメータとしてユーザの好みや属性の取得要求があると（図１４の（４）参照）、ワンタイムＩＤにあらかじめ関連づけられたログインＩＤからユーザの好みや属性を取得して広告・コンテンツ配信サーバ５０に送信する。
【００９０】
広告・コンテンツ配信サーバ５０は、ユーザが契約している回線ＩＤとポータルサイト６０にログインした際のログインＩＤに関連づけられたワンタイムＩＤより、アクセス履歴サーバ１０Ａからユーザの好みや属性を取得して（図１４の（４）参照）、ユーザに最適な広告やコンテンツを配信する（図１４の（５）参照）。
【００９１】
次に、図１５および図１６を用いて、第二の実施形態に係る広告コンテンツ配信システムによる処理を説明する。図１５は、第二の実施形態に係る広告コンテンツ配信システムにおけるアクセス履歴管理処理の流れを説明するシーケンス図である。図１６は、第二の実施形態に係る広告コンテンツ配信システムにおける広告・コンテンツ送信処理の流れを説明するシーケンス図である。
【００９２】
まず、図１５に示すように、ユーザが端末３０のブラウザから広告・コンテンツ配信依頼元事業者サイト４０にアクセスすると、ログイン画面を端末３０のブラウザに表示してユーザの認証を行う。ユーザは端末のブラウザにログインＩＤを入力することにより（ステップＳ３０１）、広告・コンテンツ配信依頼元事業者サイト４０にログインする。ログイン後、広告・コンテンツ配信依頼元事業者サイト４０は、アクセス履歴サーバ１０Ａにアクセスするように記述してあるｈｔｍｌファイルをコンテンツとして端末３０のブラウザに送信する（ステップＳ３０２）。
【００９３】
続いて、端末３０のブラウザが、アクセスした広告・コンテンツ配信依頼元事業者サイト４０のＵＲＬと入力したログインＩＤをパラメータとしてアクセス履歴サーバ１０Ａにアクセスすると（ステップＳ３０３）、アクセス履歴サーバ１０Ａは、回線ＩＤ管理サーバ２０からユーザが契約している回線の回線ＩＤの取得を要求し（ステップＳ３０４）、該要求に対する応答を受信して（ステップＳ３０５）、回線ＩＤを取得する。そして、アクセス履歴サーバ１０Ａは、取得した回線ＩＤと広告・コンテンツ配信依頼元事業者サイト４０のＵＲＬとログインＩＤを括り付けて保持し（ステップＳ３０６）、端末３０に応答する（ステップＳ３０７）。
【００９４】
次に、図１６に示すように、ユーザが端末３０のブラウザからポータルサイト６０にアクセスすると（ステップＳ４０１）、ログイン画面を端末３０のブラウザに表示してユーザの認証を行う。ユーザは端末３０のブラウザにログインＩＤを入力することにより、ポータルサイト６０にログインする。ログイン後、ポータルサイト６０は、アクセス履歴サーバ１０Ａにアクセスするように記載されているｈｔｍｌファイルをコンテンツとして端末３０のブラウザに送信する（ステップＳ４０２）。このとき、ポータルサイト６０が提携している広告・コンテンツ配信サーバ５０のＵＲＬとログインＩＤをパラメータとして端末３０のブラウザに送信する。
【００９５】
そして、端末３０のブラウザが取得した広告・コンテンツ配信サーバ５０のＵＲＬとログインＩＤをパラメータとしてアクセス履歴サーバ１０Ａにアクセスすると（ステップＳ４０３）、アクセス履歴サーバ１０Ａは、回線ＩＤ管理サーバ２０からユーザが契約している回線の回線ＩＤの取得を要求し（ステップＳ４０４）、該要求に対する応答を受信して（ステップＳ４０５）、回線ＩＤを取得する。また、アクセス履歴サーバ１０Ａは、ワンタイムＩＤを発行して、ログインＩＤに関連づける（ステップＳ４０６）。その後、アクセス履歴サーバ１０Ａは、取得した回線ＩＤとワンタイムＩＤをパラメータとして広告・コンテンツ配信サーバ５０にアクセスするように記載されているｈｔｍｌファイルをコンテンツとして端末３０のブラウザに送信する（ステップＳ４０７）。
【００９６】
その後、端末３０のブラウザが、回線ＩＤとワンタイムＩＤをパラメータとして広告・コンテンツ配信サーバ５０にアクセスすると（ステップＳ４０８）、広告・コンテンツ配信サーバ５０は、回線ＩＤとワンタイムＩＤをパラメータとしてアクセス履歴サーバ１０Ａに当該回線ＩＤで契約しているユーザの好みや属性の取得を要求する（ステップＳ４０９）。
【００９７】
そして、アクセス履歴サーバ１０Ａは、ワンタイムＩＤの有効期限とアクセス回数を確認する（ステップＳ４１０）。そして、アクセス履歴サーバ１０Ａは、ワンタイムＩＤが有効であるか判定する（ステップＳ４１１）。この結果、アクセス履歴サーバ１０Ａは、ワンタイムＩＤが有効でないと判断すると、要求を廃棄し（ステップＳ４１２）、ワンタイムＩＤが有効であると判断すると、当該ワンタイムＩＤからログインＩＤを取得する（ステップＳ４１３）。
【００９８】
そして、当該回線ＩＤで契約しているユーザのアクセス履歴や、当該ログインＩＤに対応する広告・コンテンツ配信依頼元事業者サイト４０へのアクセス履歴へのアクセス権が当該広告・コンテンツ配信サーバ５０に与えられているかを確認する（ステップＳ４１４）。
【００９９】
この結果、アクセス権が与えられていない場合にはエラー応答を行い（ステップＳ４１５）、アクセス権が与えられている場合、アクセス履歴サーバ１０Ａは、保持した回線ＩＤと広告・コンテンツ配信依頼元事業者サイト４０のＵＲＬと当該ログインＩＤの情報をもとに、広告・コンテンツ配信サーバ５０に当該ユーザの好みや属性を送信する（ステップＳ４１６）。そして、広告・コンテンツ配信サーバ５０は、取得した当該ユーザの好みや属性から最適な広告・コンテンツを判別して、端末３０のブラウザに広告・コンテンツを配信する（ステップＳ４１７）。その後、端末３０のブラウザは、取得したポータルサイト６０のコンテンツと配信された広告・コンテンツを表示する。
【０１００】
[第二の実施形態の効果]
以上のように、第二の実施形態に係る広告コンテンツ配信システムでは、広告・コンテンツ配信サーバ５０は、クッキーを利用することなく、ユーザの好みや属性にしたがって、回線契約単位やユーザがアクセスしたサイトのログインＩＤ単位に最適な広告やコンテンツを配信することが可能である。また、ユーザは、自分のアクセス履歴を管理することができ、自分の好みや属性を送信する広告・コンテンツ配信事業者を選択することができる。
【０１０１】
また、アクセス履歴サーバがアクセス網に接続し、ユーザが契約している回線ＩＤとユーザがアクセスしたサイトのログインＩＤとユーザがアクセスしたサイトのＵＲＬを括り付けて保持していることから、広告・コンテンツ配信事業者は、回線契約単位やユーザがアクセスしたサイトのログインＩＤ単位で、ユーザの好みやユーザの当該サイトへの過去のアクセス日時などの属性にしたがって広告やコンテンツを配信することが可能となる。
【０１０２】
また、ユーザは、ユーザインタフェースを有するアクセス履歴サーバに自分のアクセス履歴を保持するため、自分のアクセス履歴を修正したり、特定の広告・コンテンツ配信事業者によるアクセス履歴へのアクセスの拒否設定をしたりするなどの管理や、配信される広告やコンテンツの選択が可能となる。そして、第三者が、本人の許可なくユーザのアクセス履歴を参照、改ざんすることを防ぐことが可能となる。
【０１０３】
さらに、クッキーを利用しないことから、ブラウザの種類に依存せずに、ユーザのアクセス履歴を参照したり、広告やコンテンツを配信することが可能となる。
【０１０４】
［第三の実施形態］
上記した第三の実施形態では、通信事業者が、ユーザの複数のログインＩＤをユーザ毎の特定のＩＤに括り付け、特定のＩＤをアクセスしたサイトに関連づけて、アクセス履歴を構成、保持する場合について説明する。また、広告・コンテンツ配信事業者は、ユーザ単位、あるいは特定のＩＤと回線ＩＤを括り付けて回線契約単位で最適な広告・コンテンツを配信する。なお、第一の実施形態と共通する構成・処理については説明を省略する。
【０１０５】
まず、図１７および図１８を用いて、第三の実施形態に係る広告コンテンツ配信システムによる処理の概要を説明する。図１７は、第三の実施形態に係る広告コンテンツ配信システムにおけるアクセス履歴の管理の流れを説明する図である。図１８は、第三の実施形態に係る広告コンテンツ配信システムにおける広告・コンテンツ送信の流れを説明する図である。
【０１０６】
図１７に示すように、第三の実施形態に係る広告コンテンツ配信システムでは、ＩＤ連携サーバ９０をさらに備える。ＩＤ連携サーバ９０は、通信事業者が提供するアクセス網７０に接続し、ユーザごとにＩＤを付与する。ユーザが広告・コンテンツ配信依頼元事業者サイト４０やポータルサイト６０にログインする際には、ＩＤ連携サーバ９０が広告・コンテンツ配信依頼元事業者サイト４０やポータルサイト６０と連携して、ＩＤ連携サーバ９０が付与したＩＤを用いてユーザの認証を行う。ＩＤ連携の手段は、ＯｐｅｎＩＤなどの既存の手段を用いてもよい。
【０１０７】
広告・コンテンツ配信依頼元事業者サイト４０は、端末３０のブラウザからアクセスがあると、ＩＤ連携サーバ９０へのリンクを表示する。ユーザがＩＤ連携サーバ９０にアクセスすると、広告・コンテンツ配信依頼元事業者サイト４０はＩＤ連携サーバ９０と連携して認証を行い、ユーザは広告・コンテンツ配信依頼元事業者サイト４０にログインする。このとき、認証を行う際のＩＤはあらかじめＩＤ連携サーバ９０がユーザごとに付与し、ユーザは端末３０のブラウザに当該ＩＤを入力することにより、広告・コンテンツ配信依頼元事業者サイト４０にログインする（図１７の（１）〜（３）参照）。
【０１０８】
そして、ログイン後、広告・コンテンツ配信依頼元事業者サイト４０は、アクセス履歴サーバ１０Ｂにアクセスするように記述してあるｈｔｍｌファイルをコンテンツとして端末３０のブラウザに送信する。そして、アクセス履歴サーバ１０Ｂは、通信事業者が提供するアクセス網７０に接続し、ユーザがアクセスしたウェブサイトの履歴を、ＩＤ連携サーバが当該ユーザに付与したＩＤとユーザが通信事業者と契約している回線のＩＤを関連づけて保持している（図１７の（４）、（５）参照）。
【０１０９】
回線ＩＤ管理サーバ２０は、アクセス網７０内に設置され、通信事業者と契約しているユーザの回線ＩＤを管理し、アクセス履歴サーバ１０Ｂからの要求により（図１７の（５）参照）、ユーザの回線ＩＤをアクセス履歴サーバ１０Ｂに返信する。
【０１１０】
次に、図１８に示すように、ポータルサイト６０は、端末３０のブラウザからアクセスがあると、ＩＤ連携サーバ９０へのリンクを表示する。ユーザがＩＤ連携サーバ９０にアクセスすると、ポータルサイト６０はＩＤ連携サーバ９０と連携して認証を行い、ユーザはポータルサイト６０にログインする。このとき、認証を行う際のＩＤはあらかじめＩＤ連携サーバ９０がユーザごとに付与し、ユーザは端末３０のブラウザに当該ＩＤを入力することにより、ポータルサイト６０にログインする（図１８の（１）〜（３）参照）。ログイン後、ポータルサイト６０は、アクセス履歴サーバ１０Ｂにアクセスするように記述してあるｈｔｍｌファイルをコンテンツとして端末３０のブラウザに送信する。
【０１１１】
また、端末３０のブラウザからアクセスがあると（図１８の（４）参照）、ＩＤ連携サーバ９０が当該ユーザに付与したＩＤに関連づけられたワンタイムＩＤとともに、広告・コンテンツ配信サーバ５０にアクセスする（図１８の（５）参照）ように記述してあるｈｔｍｌファイルをコンテンツとして端末３０のブラウザに送信する。
【０１１２】
当該ワンタイムＩＤは、詐称されないための十分な長さを持つ文字列で乱数などを用いて生成され、有効期間内に１回のみアクセス履歴サーバにアクセスする際のパラメータとして有効である。アクセス履歴サーバ１０Ｂは、広告・コンテンツ配信サーバ５０からワンタイムＩＤをパラメータとしてユーザの好みや属性の取得要求があると（図１８の（６）参照）、ワンタイムＩＤにあらかじめ関連づけられた、ＩＤ連携サーバ９０が付与したＩＤからユーザの好みや属性を取得して広告・コンテンツ配信サーバ５０に送信する。
【０１１３】
次に、図１９および図２０を用いて、第三の実施形態に係る広告コンテンツ配信システムによる処理を説明する。図１９は、第三の実施形態に係る広告コンテンツ配信システムにおけるアクセス履歴管理処理の流れを説明するシーケンス図である。図２０は、第三の実施形態に係る広告コンテンツ配信システムにおける広告・コンテンツ送信処理の流れを説明するシーケンス図である。
【０１１４】
まず、図１９に示すように、ユーザが端末３０のブラウザから広告・コンテンツ配信依頼元事業者サイト４０にアクセスすると（ステップＳ５０１）、ＩＤ連携サーバ９０へのリンクを端末３０のブラウザに表示する（ステップＳ５０２）。
【０１１５】
ユーザがＩＤ連携サーバ９０から付与されたＩＤを端末３０のブラウザに入力して（ステップＳ５０３）、表示されたリンクをクリックすると、広告・コンテンツ配信依頼元事業者サイト４０に当該ＩＤを送信する（ステップＳ５０４）。広告・コンテンツ配信依頼元事業者サイト４０は、ＩＤ連携サーバ９０のＵＲＬを取得して（ステップＳ５０５）、端末３０のブラウザにＩＤ連携サーバ９０へのリダイレクトを要求するｈｔｍｌファイルをコンテンツとして端末３０のブラウザに送信する（ステップＳ５０６）。
【０１１６】
端末３０のブラウザは、ＩＤ連携サーバ９０にリダイレクトすると（ステップＳ５０７）、ログイン画面を端末３０のブラウザに表示する（ステップＳ５０８）。ユーザは端末のブラウザにＩＤ連携サーバ９０から付与されたＩＤとパスワードを入力する（ステップＳ５０９）。
【０１１７】
ＩＤ連携サーバ９０は、当該ユーザの認証を行い（ステップＳ５１０）、その結果を広告・コンテンツ配信依頼元事業者サイト４０に当該ＩＤとともに通知する（ステップＳ５１１）。当該ユーザの認証結果を受信した広告・コンテンツ配信依頼元事業者サイト４０は、当該ＩＤと広告・コンテンツ配信依頼元事業者サイト４０の当該ユーザのログインＩＤを関連づける（ステップＳ５１２）。その後、広告・コンテンツ配信依頼元事業者サイト４０へのリダイレクトを要求するｈｔｍｌファイルをコンテンツとして端末３０のブラウザに送信する（ステップＳ５１３）。
【０１１８】
端末３０のブラウザは、広告・コンテンツ配信依頼元事業者サイト４０にリダイレクトすると（ステップＳ５１４）、広告・コンテンツ配信依頼元事業者サイト４０は、アクセス履歴サーバ１０Ｂにアクセスするように記述されたｈｔｍｌファイルをコンテンツとして端末３０のブラウザに送信する（ステップＳ５１５）。
【０１１９】
そして、端末３０のブラウザがアクセスした広告・コンテンツ配信依頼元事業者サイト４０のＵＲＬとＩＤ連携サーバ９０から付与されたＩＤをパラメータとしてアクセス履歴サーバ１０Ｂにアクセスすると（ステップＳ５１６）、アクセス履歴サーバ１０Ｂは、回線ＩＤ管理サーバ２０からユーザが契約している回線のＩＤを取得する（ステップＳ５１７、Ｓ５１８）。そして、アクセス履歴サーバ１０Ｂは、取得した回線ＩＤと広告・コンテンツ配信依頼元事業者サイト４０のＵＲＬと当該ＩＤを括り付けて保持し（ステップＳ５１９）、端末３０に応答する（ステップＳ５２０）。
【０１２０】
次に、図２０に示すように、その後、ユーザが端末３０のブラウザからポータルサイト６０にアクセスすると、上記の図１９の説明と同様に、ＩＤ連携サーバ９０と連携してユーザの認証を行い、ポータルサイト６０にログインする（ステップＳ６０１）。なお、図では、詳細な説明を省略している。そして、ログイン後、ポータルサイト６０は、アクセス履歴サーバ１０Ｂにアクセスするように記載されているｈｔｍｌファイルをコンテンツとして端末３０のブラウザに送信する（ステップＳ６０２）。このとき、ポータルサイト６０が提携している広告・コンテンツ配信サーバ５０のＵＲＬとＩＤ連携サーバ９０から付与されたＩＤをパラメータとして端末３０のブラウザに送信する。
【０１２１】
そして、端末３０のブラウザが取得した広告・コンテンツ配信サーバ５０のＵＲＬとＩＤ連携サーバ９０から付与されたＩＤをパラメータとしてアクセス履歴サーバ１０Ｂにアクセスすると（ステップＳ６０３）、ワンタイムＩＤを発行して、当該ＩＤに関連づける（ステップＳ６０４）。その後、アクセス履歴サーバ１０Ｂは、ワンタイムＩＤをパラメータとして広告・コンテンツ配信サーバ５０にアクセスするように記載されているｈｔｍｌファイルをコンテンツとして端末３０のブラウザに送信する（ステップＳ６０５）。
【０１２２】
そして、端末３０のブラウザがワンタイムＩＤをパラメータとして広告・コンテンツ配信サーバ５０にアクセスすると（ステップＳ６０６）、広告・コンテンツ配信サーバ５０は、ワンタイムＩＤをパラメータとしてアクセス履歴サーバ１０Ｂにユーザの好みや属性の取得を要求する（ステップＳ６０７）。
【０１２３】
そして、アクセス履歴サーバ１０Ｂは、ワンタイムＩＤの有効期限とアクセス回数を確認する（ステップＳ６０８）。そして、ワンタイムＩＤが有効であるか判定し（ステップＳ６０９）、ワンタイムＩＤが有効でないと判断すると、要求を廃棄し（ステップＳ６１０）、ワンタイムＩＤが有効であると判断すると、当該ワンタイムＩＤからログインＩＤを取得する（ステップＳ６１１）。
【０１２４】
そして、当該回線ＩＤで契約しているユーザのアクセス履歴や、当該ログインＩＤに対応する広告・コンテンツ配信依頼元事業者サイト４０へのアクセス履歴へのアクセス権が当該広告・コンテンツ配信サーバ５０に与えられているかを確認する（ステップＳ６１２）。
【０１２５】
この結果、アクセス権が与えられていない場合にはエラー応答を行い（ステップＳ６１３）、アクセス権が与えられている場合、アクセス履歴サーバ１０Ｂは、保持した回線ＩＤと広告・コンテンツ配信依頼元事業者サイト４０のＵＲＬと当該ログインＩＤの情報をもとに、広告・コンテンツ配信サーバ５０に当該ユーザの好みや属性を送信する（ステップＳ６１４）。そして、広告・コンテンツ配信サーバ５０は、取得した当該ユーザの好みや属性から最適な広告・コンテンツを判別して、端末３０のブラウザに広告・コンテンツを配信する（ステップＳ６１５）。その後、端末３０のブラウザは、取得したポータルサイト６０のコンテンツと配信された広告・コンテンツを表示する。
【０１２６】
[第三の実施形態の効果]
以上のように、第三の実施形態に係る広告コンテンツ配信システムでは、ユーザごとに、事業者サイトにアクセスした際に行われる認証処理を行うためのＩＤを端末３０に付与するＩＤ連携サーバ９０をさらに有する。また、アクセス履歴サーバ１０Ｂは、事業者サイトの情報とＩＤとを対応付けて記憶するとともに、ＩＤとワンタイムＩＤとを対応付けて記憶し、ワンタイムＩＤごとに属性情報を記憶する。また、アクセス履歴サーバ１０Ｂは、端末３０からアクセスした事業者サイトのＵＲＬおよびＩＤを取得し、ＩＤに対応付けて事業者サイトのＵＲＬを記憶部１３に格納する。そして、アクセス履歴サーバ１０Ｂは、広告・コンテンツ配信サーバ５０に対して、ＩＤに対応する使用期間が限定された情報であるワンタイムＩＤを発行し、発行したワンタイムＩＤを広告・コンテンツ配信サーバ５０に送信する。そして、アクセス履歴サーバ１０Ｂは、広告・コンテンツ配信サーバ５０からワンタイムＩＤを含む属性情報の要求を受け付けた場合に、記憶部１３において、該ワンタイムＩＤに対応する属性情報を、広告・コンテンツ配信サーバ５０に送信する。
【０１２７】
このように、アクセス履歴サーバ１０ＢおよびＩＤ連携サーバ９０がアクセス網７０に接続し、ユーザが契約している回線のＩＤとＩＤ連携サーバ９０がユーザに付与したＩＤとユーザがアクセスしたサイトのＵＲＬを括り付けて保持していることから、広告・コンテンツ配信事業者は、回線契約単位やＩＤ連携サーバ９０がユーザに付与したＩＤ単位で、ユーザの好みや属性にしたがって広告やコンテンツを配信することが可能となる。
【０１２８】
このとき、複数の広告・コンテンツ配信依頼元事業者サイト４０やポータルサイト６０にアクセスした履歴は、ＩＤ連携サーバ９０がユーザに付与したＩＤで括り付けられていることから、広告・コンテンツ配信事業者は、ユーザがアクセスした上記の複数のサイトの履歴を総合して、ユーザの好みや属性を判別することが可能となる。
【０１２９】
また、ユーザは、ユーザインタフェースを有するアクセス履歴サーバに自分のアクセス履歴を保持するため、自分のアクセス履歴を修正したり、特定の広告・コンテンツ配信事業者によるアクセス履歴へのアクセスの拒否設定をしたりするなどの管理や、配信される広告やコンテンツの選択が可能となる。そして、第三者が、本人の許可なくユーザのアクセス履歴を参照、改ざんすることを防ぐことが可能となる。さらに、クッキーを利用しないことから、ブラウザの種類に依存せずに、ユーザのアクセス履歴を参照したり、広告やコンテンツを配信することが可能となる。
【０１３０】
［第四の実施形態］
さて、これまで本発明の実施形態について説明したが、本発明は上述した実施形態以外にも、種々の異なる形態にて実施されてよいものである。そこで、以下では第四実施形態として本発明に含まれる他の第四の実施形態を説明する。
【０１３１】
（１）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、取得部１２ａと特定部１２ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３２】
また、本実施形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１３３】
また、例えば、上述したアクセス履歴サーバの機能をユーザ端末に実装させ、広告コンテンツ配信システムにアクセス履歴サーバを設置しないようにしてもよい。具体的には、ユーザ端末は、自端末がアクセスしたサイトであって、広告・コンテンツ配信サーバに広告またはコンテンツの配信を依頼している事業者のサイトである事業者サイトの情報を記憶し、ワンタイムＩＤごとに属性情報を記憶する。そして、ユーザ端末が、自装置が事業者サイトにアクセスするたびに、アクセスした事業者サイトの情報を取得し、該事業者サイトの情報を記憶部に格納する。そして、ユーザ端末が、記憶部によって記憶された事業者サイトの情報に基づいて、ユーザ端末を利用するユーザの属性情報を特定する。そして、ユーザ端末が、広告・コンテンツ配信サーバから属性情報の要求を受け付けた場合に、特定されたユーザの属性情報を前記広告コンテンツ配信サーバに送信する。
【０１３４】
また、例えば、第２の実施形態では、アクセス履歴サーバ１０Ａが、回線ＩＤとログインＩＤと事業者サイト４０のＵＲＬを関連付けて記憶する場合を説明したが、これに限定されるものではなく、例えば、回線ＩＤを用いることなく、ログインＩＤと事業者サイト４０のＵＲＬとを関連付けて記憶するようにしてもよい。
【０１３５】
例えば、アクセス履歴サーバ１０Ａは、ログインＩＤと、ワンタイムＩＤとを対応付けて記憶し、ログインＩＤと事業者サイト４０のＵＲＬとを対応付けて記憶する。
【０１３６】
具体的には、アクセス履歴サーバ１０は、ユーザ端末３０からアクセスした事業者サイト４０のＵＲＬおよびログインＩＤを取得し、ログインＩＤに対応付けて事業者サイトのＵＲＬを記憶部１３に格納する。そして、アクセス履歴サーバ１０は、広告・コンテンツ配信サーバ５０からＵＲＬとログインＩＤをパラメータとしたアクセスを受け付けると、ワンタイムＩＤを発行し、発行したワンタイムＩＤを広告・コンテンツ配信サーバ５０に送信する。
【０１３７】
その後、アクセス履歴サーバ１０は、ワンタイムログイン情報を含む属性情報の要求を受け付けた場合に、記憶部１３において、該ワンタイムＩＤに対応する属性情報を、広告・コンテンツ配信サーバ５０に送信する。
【０１３８】
これにより、回線ＩＤを用いることなく、ユーザごとにアクセス履歴を管理することが可能であり、広告・コンテンツ配信事業者は、ユーザ毎の好みや属性に従って、広告またはコンテンツを配信することが可能である。
【０１３９】
（２）プログラム
また、上記実施形態において説明した各装置が実行する処理について、コンピュータが実行可能な言語で記述したプログラムを作成することもできる。例えば、第一の実施形態に係るアクセス管理サーバ１０が実行する処理について、コンピュータが実行可能な言語で記述した広告コンテンツ配信プログラムを作成することもできる。この場合、コンピュータが広告コンテンツ配信プログラムを実行することにより、上記実施形態と同様の効果を得ることができる。さらに、かかる広告コンテンツ配信プログラムをコンピュータ読み取り可能な記録媒体に記録して、この記録媒体に記録され広告コンテンツ配信プログラムをコンピュータに読み込ませて実行することにより上記第一の実施形態と同様の処理を実現してもよい。以下に、図２に示したアクセス管理サーバ１０と同様の機能を実現する広告コンテンツ配信プログラムを実行するコンピュータの一例を説明する。
【０１４０】
図２１は、広告コンテンツ配信プログラムを実行するコンピュータ１０００を示す図である。図２１に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【０１４１】
メモリ１０１０は、図２１に例示するように、ＲＯＭ（Read  Only  Memory）１０１１及びＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、図２１に例示するように、ハードディスクドライブ１０９０に接続される。ディスクドライブインタフェース１０４０は、図２１に例示するように、ディスクドライブ１０４１に接続される。例えば磁気ディスクや光ディスク等の着脱可能な記憶媒体が、ディスクドライブに挿入される。シリアルポートインタフェース１０５０は、図２１に例示するように、例えばマウス１１１０、キーボード１１２０に接続される。ビデオアダプタ１０６０は、図２１に例示するように、例えばディスプレイ１１３０に接続される。
【０１４２】
ここで、図２１に例示するように、ハードディスクドライブ１０９０は、例えば、ＯＳ１０９１、アプリケーションプログラム１０９２、プログラムモジュール１０９３、プログラムデータ１０９４を記憶する。すなわち、上記の広告コンテンツ配信プログラムは、コンピュータ１０００によって実行される指令が記述されたプログラムモジュールとして、例えばハードディスクドライブ１０９０に記憶される。
【０１４３】
また、上記実施形態で説明した各種データは、プログラムデータとして、例えばメモリ１０１０やハードディスクドライブ１０９０に記憶される。そして、ＣＰＵ１０２０が、メモリ１０１０やハードディスクドライブ１０９０に記憶されたプログラムモジュール１０９３やプログラムデータ１０９４を必要に応じてＲＡＭ１０１２に読み出し、各処理手順を実行する。
【０１４４】
なお、広告コンテンツ配信プログラムに係るプログラムモジュール１０９３やプログラムデータ１０９４は、ハードディスクドライブ１０９０に記憶される場合に限られず、例えば着脱可能な記憶媒体に記憶され、ディスクドライブ等を介してＣＰＵ１０２０によって読み出されてもよい。あるいは、広告コンテンツ配信プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【０１４５】
１  広告コンテンツ配信システム
１０  アクセス履歴管理サーバ
１１  通信処理部
１２  制御部
１２ａ  取得部
１２ｂ  特定部
１２ｃ  送信部
１３  記憶部
１３ａ  アクセス履歴記憶部
１３ｂ  履歴情報憶部
２０  回線ＩＤ管理サーバ
３０  端末
４０  広告・コンテンツ配信依頼元事業者サイト
５０  広告・コンテンツ配信サーバ
６０  ポータルサイト
【図１】
2015156157.tif 000003
【図２】
2015156157.tif 000004
【図３】
2015156157.tif 000005
【図４】
2015156157.tif 000006
【図５】
2015156157.tif 000007
【図６】
2015156157.tif 000008
【図７】
2015156157.tif 000009
【図８】
2015156157.tif 000010
【図９】
2015156157.tif 000011
【図１０】
2015156157.tif 000012
【図１１】
2015156157.tif 000013
【図１２】
2015156157.tif 000014
【図１３】
2015156157.tif 000015
【図１４】
2015156157.tif 000016
【図１５】
2015156157.tif 000017
【図１６】
2015156157.tif 000018
【図１７】
2015156157.tif 000019
【図１８】
2015156157.tif 000020
【図１９】
2015156157.tif 000021
【図２０】
2015156157.tif 000022
【図２１】
2015156157.tif 000023
【図２２】
2015156157.tif 000024
【図２３】
2015156157.tif 000025